(57)【要約】  【課題】  被写体の撮影前後の雰囲気音を撮影画像に対して記録することが可能な電子撮影装置を提供する。  【解決手段】  被写体の撮影を行い、撮影した被写体の画像信号を生成する撮影手段と、被写体の撮影前後の所定時間分の音声信号を生成して一時記憶する音声信号生成手段と、撮影手段にて生成した画像信号と、音声信号生成手段にて生成され一時記憶している音声信号とを記録可能な記録メディアのメモリカード２２またはＨＤＤ２３、撮像手段にて生成した画像信号を記録メディアに記録する際に、音声信号生成手段にて生成して一時記憶されている被写体撮影前後の音声信号を記録させる記録制御手段とからなる電子撮影装置。  【選択図】  図１
2006310978.tif 000002
【特許請求の範囲】
【請求項１】
被写体の撮影を行い、撮影した被写体の画像信号を生成する撮影手段と、
被写体の撮影前または撮影後の所定時間分の音声信号を生成して一時記憶させる音声信号生成手段と、
前記撮影手段にて生成した画像信号と、前記音声信号生成手段にて生成されて一時記憶された音声信号とを記録可能な記録媒体手段と、
前記撮像手段にて生成した画像信号を前記記録媒体手段に記録する際に、前記音声信号生成手段にて生成して一時記憶されている被写体撮影前または撮影後の音声信号を記録させる記録制御手段と、
を具備することを特徴とした電子撮影装置。
【請求項２】
前記記録制御手段は、前記撮影手段にて静止画撮影を行い生成した静止画像信号と、前記撮影手段の静止画の撮影前または撮影後の前記音声信号生成手段にて生成した音声信号とを前記記録媒体手段記録する際に、前記静止画信号の静止画ファィルと前記音声信号の音声ファイルとを個別に生成して記録させることを特徴とした請求項１に記載の電子撮影装置。
【請求項３】
前記記録制御手段は、前記撮影手段にて動画撮影を行い生成した動画像信号と、前記撮影手段の動画の撮影前の前記音声信号生成手段にて生成した音声信号とを前記記録媒体手段に記録する際に、前記動画像信号の動画ファイルと前記音声信号の音声ファイルとを個別に生成して記録させることを特徴とした請求項１に記載の電子撮影装置。
【請求項４】
前記記録制御手段は、前記撮影手段にて動画撮影を行い生成した動画像信号と、前記撮影手段の動画の撮影前の前記音声信号生成手段にて生成された音声信号とを前記記録媒体手段に記録させる際に、前記動画像信号と前記音声信号とを同一ファイルとし、ファイルの先頭に撮影前の前記音声信号のみを記録し、音声信号の後に前記動画像信号を記録させることを特徴とした請求項１に記載の電子撮影装置。
【請求項５】
前記記録制御手段は、前記撮影手段にて動画撮影を行い生成した動画像信号と、前記撮影手段の動画の撮影前及び撮影後の前記音声信号生成手段にて生成された音声信号とを前記記録媒体手段に記録させる際に、前記動画像信号と前記音声信号とを同一ファイルとし、撮影前の音声信号のみをファィルの先頭に記録し、撮影前の音声信号の後に前記動画像信号を記録し、前記動画像信号の後に撮影後の音声信号のみを記録させることを特徴とした請求項１に記載の電子撮影装置。
【請求項６】
前記記録制御手段は、前記撮影手段にて動画撮影を行い生成した動画像信号と、前記撮影手段の動画の撮影前または撮影後の前記音声信号生成手段にて生成された音声信号とを前記記録媒体手段に同一ファイルとして記録させる際に、撮影前の音声信号から動画像信号にフェードインし、または動画信号から撮影後の音声信号にフェードインするように記録されたことを特徴とした請求項４または５のいずれかに記載の電子撮影装置。
【発明の詳細な説明】
【技術分野】
【０００１】
本発明は、静止画及び動画像を電気的な撮影信号に変換して、撮影信号を画像データとして記録媒体に記録する電子撮影装置において、撮影前と撮影後の音声も記録可能な電子撮影装置に関する。
【背景技術】
【０００２】
従来から被写体像を光電変換する固体撮像素子を用いて、静止画像及び動画像の電気画像信号を生成して、記録媒体に記録するデジタルスチールカメラやビデオカメラと称される電子カメラあるいは電子撮影装置（以下、単に電子カメラと称する）が実用化されている。また、１台の電子カメラで、動画像と静止画像とを共に撮影することのできる電子カメラも実用化されている。
【０００３】
電子カメラは、撮影した静止画と動画像の電気画像信号を高記録容量の半導体メモリをカード化した半導体メモリカードや大記録容量のハードディスクが記録媒体として用いられるようになっている。
【０００４】
電子カメラは、静止画と動画像の撮影による画像信号を記録すると共に、音声信号の記録も可能となっている。音声信号の記録は、一般に動画撮影中の周囲の音声を記録するもので、静止画撮影時には音声の記録は行われず、静止画撮影後に音声をアフレコ記録させるようになっている。
【０００５】
音声の記録を行うことにより、撮影画像と撮影場所の雰囲気音が共に再生されると撮影画像の臨場感が向上すると共に、撮影場所の記録情報として有益である。そこで、撮影前の音声記録を可能とするデジタルカメラが特許文献１に提案されている。
【０００６】
特許文献１に提案されているデジタルカメラは、画像取り込みモード及び音声取り込みモードのいずれも有するデジタルカメラであって、ユーザが操作して初期位置から音声取り込みを行う第１の位置へ、及び画像取り込みを行う第２の位置へ移動可能な制御部材と、第１の位置へ制御部材があるときに音声の取り込みを行い、第２の位置に制御部材があるときに画像の取り込みを行うようになっている。
【０００７】
つまり、制御部材を第１の位置に操作されると音声の取り込みが行われ、第１の位置から第２の位置に操作されると画像が取り込まれることから画像の取り込み前の音声の取り込みが行われる。
【特許文献１】特開２００４−１０４７８３号公報
【発明の開示】
【発明が解決しようとする課題】
【０００８】
上述した特許文献１に提案されているデジタルカメラは、ユーザが操作する制御部材を第１の位置に操作すると音声の取り込み記録が行われ、第１の位置から第２の位置に操作すると音声の取り込み記録が継続されると共に画像の取り込み記録が行われる。更に、制御部材を第１の位置に操作した状態を維持させるために制御部材をフレームに係止させる機構を備えている。
【０００９】
このデジタルカメラは、ユーザによって制御部材が初期位置から第１の位置、第１の位置から第２の位置へと時系列に操作される。従って、時系列に操作される制御部材の第１の位置で音声の取り込み記録が開始され、第２の位置で画像の取れ込み記録が行われるために、撮影前の音声と撮影開始後の音声と画像は時系列に記録されることになる。つまり、特許文献１のデジタルカメラは、記録媒体として磁気テープを想定していると思われる。
【００１０】
このため、ユーザが制御部材を初期位置から第１の位置を経て第２の位置まで一気に操作すると、音声の取り込み記録と画像の取り込み記録がほぼ同時点となることが想定され、画像の取り込み記録前の音声の取り込み記録ができなくなる。このような状態で記録した音声と画像を再生すると、画像の取り込み記録前の音声の記録が無いために、画像の撮影時の雰囲気が解らず、画像全体の臨場感が低下する。
【００１１】
本発明は、このような事情に鑑みてなされたもので、被写体の撮影前または撮影後の所定期間の撮影場所の雰囲気音を撮影画像に対してランダムに記録することで、再生時の撮影雰囲気を知る情報となり、かつ、撮影時の撮影場所の臨場感を再現可能な電子撮影装置を提供することを目的としている。
【課題を解決するための手段】
【００１２】
本発明の電子撮影装置は、被写体の撮影を行い、撮影した被写体の画像信号を生成する撮影手段と、被写体の撮影前または撮影後の所定時間分の音声信号を生成して一時記憶する音声信号生成手段と、前記撮影手段にて生成した画像信号と、前記音声信号生成手段にて生成され一時記憶している音声信号とを記録可能な記録媒体手段と、前記撮像手段にて生成した画像信号を前記記録媒体手段に記録する際に、前記音声信号生成手段にて生成して一時記憶されている被写体撮影前または撮影後の音声信号を記録させる記録制御手段と、を具備することを特徴としている。
【００１３】
本発明の電子撮影装置の前記記録制御手段は、前記撮影手段にて静止画撮影を行い生成した静止画像信号と、前記撮影手段の静止画の撮影前または撮影後の前記音声信号生成手段にて生成した音声信号とを前記記録媒体手段記録する際に、前記静止画信号の静止画ファィルと前記音声信号の音声ファイルとを個別に生成して記録させることを特徴としている。
【００１４】
本発明の電子撮影装置の前記記録制御手段は、前記撮影手段にて動画撮影を行い生成した動画像信号と、前記撮影手段の動画の撮影前の前記音声信号生成手段にて生成した音声信号とを前記記録媒体手段に記録する際に、前記動画像信号の動画ファイルと前記音声信号の音声ファイルとを個別に生成して記録させることを特徴としている。
【００１５】
本発明の電子撮影装置の前記記録制御手段は、前記撮影手段にて動画撮影を行い生成した動画像信号と、前記撮影手段の動画の撮影前の前記音声信号生成手段にて生成された音声信号とを前記記録媒体手段に記録させる際に、前記動画像信号と前記音声信号とを同一ファイルとし、ファイルの先頭に撮影前の前記音声信号のみを記録し、音声信号の後に前記動画像信号を記録させることを特徴としている。
【００１６】
本発明の電子撮影装置の前記記録制御手段は、前記撮影手段にて動画撮影を行い生成した動画像信号と、前記撮影手段の動画の撮影前及び撮影後の前記音声信号生成手段にて生成された音声信号とを前記記録媒体手段に記録させる際に、前記動画像信号と前記音声信号とを同一ファイルとし、撮影前の音声信号のみをファィルの先頭に記録し、撮影前の音声信号の後に前記動画像信号を記録し、前記動画像信号の後に撮影後の音声信号のみを記録させることを特徴としている。
【００１７】
本発明の電子撮影装置の前記記録制御手段は、前記撮影手段にて動画撮影を行い生成した動画像信号と、前記撮影手段の動画の撮影前または撮影後の前記音声信号生成手段にて生成された音声信号とを前記記録媒体手段に同一ファイルとして記録させる際に、撮影前の音声信号から動画像信号にフェードインし、または動画信号から撮影後の音声信号にフェードインするように記録されたことを特徴としている。
【発明の効果】
【００１８】
本発明の電子撮影装置は、内蔵されている記録媒体に被写体の撮影前または撮影後の所定期間の音声信号が記録されるために、撮影画像の再生時に、撮影時の前後音の再現が可能となり、撮影時の雰囲気と撮影画像の臨場感が再現でき撮影画像の親和性が向上する効果を有している。
【発明を実施するための最良の形態】
【００１９】
以下、図面を参照して本発明の実施の形態について詳細に説明する。図１は本発明の実施形態の電子撮影装置の構成を示すブロック図、図２は本発明の実施形態の電子撮影装置における静止画撮影時の静止画像記録と、静止画の撮影前後の音声記録の動作を説明する説明図、図３は本発明の実施形態の電子撮影装置における動画撮影時の動画記録と、動画の撮影前後の音声記録の動作を説明する説明図、図４は本発明の実施形態の電子撮影装置における撮影時の画像と、撮影後または撮影後の音声の記録動作を説明するフローチャートである。
【００２０】
図１を用いて本発明の実施形態の電子撮影装置の構成について説明する。本発明の実施形態の電子撮像装置は、光学レンズ１１、固体撮像素子であるＣＣＤ(Charge Coupled Device)１２、アナログ／デジタル変換部（以下、Ａ／Ｄ変換部と称する）１３、ＣＣＤ信号処理部１４、メモリコントローラー１５、バッファメモリ１６、画像圧縮・伸張処理部１７、画像表示処理部１８、表示装置１９、マイクロコンピュータであるＣＰＵ２０、記録メディアインターフェース２１、メモリカード２２、ハードディスク（以下、ＨＤＤと称する）２３、音声入出力処理部２４、スピーカー２５、マイクロホン（以下、マイクと称する）２６、及び操作部２７から構成されている。
【００２１】
光学レンズ１１は、被写体からの被写体光を透過してＣＣＤ１２に照射する。ＣＣＤ１２は、光学レンズ１１から照射された被写体光をアナログ電荷量に変換されたアナログＣＣＤ信号であるアナログ画像信号をＡ／Ｄ変換部１３に出力する。Ａ／Ｄ変換部１３は、アナログ画像信号をデジタルＣＣＤ信号であるデジタル画像信号に変換してＣＣＤ信号処理部１４に供給する。ＣＣＤ信号処理部１４は、Ａ／Ｄ変換部１３からのデジタル画像信号のノイズ除去、ホワイトバランス補正、輪郭補正等のデジタル信号処理を行いメモリコントローラ１５に供給する。メモリコントローラ１５は、ＣＰＵ２０による駆動制御の基で、デジタル画像信号をバッファメモリ１６に一時記憶させる。
【００２２】
ＣＰＵ２０は、後述する操作部２７からの各種操作指示入力によりＣＣＤ信号処理部１４、メモリコントローラー１５、画像圧縮・伸張処理部１７、記録メディアインターフェース２１、及び音声入出力処理部２４の駆動を制御する各種制御プログラムを有している。
【００２３】
バッファメモリ１６に一時記憶されたデジタル画像信号は、ＣＰＵ２０にて駆動制御されているメモリコントロール１５により読み出されて、画像圧縮・伸張処理部１７に供給されてデジタル画像データに変換される。画像圧縮・伸張処理部１７は、動画像の場合は、ＭＰＥＧ方式による符号化と圧縮処理を行いデジタル動画像データを生成し、静止画像の場合は、ＪＰＥＧ方式による符号化と圧縮処理を行いデジタル静止画像データを生成する。
【００２４】
画像圧縮・伸張処理部１７にて符号化と圧縮処理されたデジタル動画像または静止画像データは、ＣＰＵ２０による駆動制御の基で記録メディアインターフェース２１を介して、メモリカード２２またはＨＤＤ２３に記録する。記録メディアインターフェース２１は、メモリカード２２またはＨＤＤ２３と画像圧縮・伸張処理部１７とのデジタル画像データの送受信用のインターフェースである。メモリカード２２は、半導体メモリが内蔵されたカード形式の記録媒体で、図示してないが電子撮影装置に着脱自在に設けられる。ＨＤＤ２３は、小形で大容量のハードディスク型の記録媒体で、図示してないが電子撮影装置の内部に着脱不能に設けられている。
【００２５】
また、バッファメモリ１６に一時記憶されたデジタル画像信号は、ＣＰＵ２０にて駆動制御されているメモリコントローラー１５により読み出されて、画像表示処理部１８に供給されて映像信号が生成される。画像表示処理部１８は、バッファメモリ１６に一時記憶されたデジタル画像信号を基に、表示装置１９である、例えば液晶表示パネルに撮影した映像を表示させるための映像信号を生成する。つまり、撮影時の映像を表示装置１９に表示させる。
【００２６】
また、画像表示処理部１８には、メモリカード２２またはＨＤＤ２３に記録されたデジタル画像データをＣＰＵ２０の駆動制御の基で、記録メディアインターフェース２１により読み出し、その読み出したデジタル画像データを画像圧縮・伸張処理部１７にて復号化と伸張処理されたデジタル画像信号がメモリコントローラー１５を介して供給される。画像表示処理部１８は、メモリコントローラー１５から供給された復号化と伸張処理されたデジタル画像信号を基に表示装置１９に撮影した映像を表示させる。つまり、メモリカード２２またはＨＤＤ２３に記録されたデジタル画像データによる撮影済みの映像を再生表示させる。
【００２７】
音声入出力処理部２４は、ＣＰＵ２０の制御の基で、撮影時にマイク２６にて集音して生成した音声信号を所定のデジタル音声データに変換して記録メディアインターフェース２１からメモリカード２２またはＨＤＤ２３に記録させると共に、記録メディアインターフェース２１にてメモリカード２２またはＨＤＤ２３から読み出されたデジタル音声データを所定の復調処理してスピーカー２５から音声を出力する。
【００２８】
なお、ＣＰＵ２０は、電子撮影装置の動作電源が入力されいる状態において、詳細は後述するが、音声入出力処理部２４の動作を制御して、マイク２６にて生成した音声信号をデジタル音声データ化して所定期間メモリコントローラ１５を介してバッファメモリ１６に一時記憶させる。
【００２９】
操作部２７は、ユーザが撮影時に操作する電源スイッチやシャッタボタン等の電子撮影装置に設けられている各種スイッチやボタンによりＣＰＵ２０に備えられている各種制御プログラムの駆動の入力指示を行う。なお、表示装置１９には、タッチパネルが併設されており、表示装置１９に表示させる各種動作モード画面をユーザがタッチすることで、ＣＰＵ２０に対して各種操作モードの入力指示も行われる。
【００３０】
このような構成の本発明の実施形態の電子撮影装置は、ＣＰＵ２０により音声入出力処理部２４の動作を制御して撮影動作前後の所定期間の音声をバッファメモリ１６に一時記憶させると共に、撮影した画像をメモリカード２２またはＨＤＤ２３等の記録メディアに記録する際に、一時記憶されている撮影前または撮影後の音声を記録メディアに記録する記録制御手段を設けている。
【００３１】
ＣＰＵ２０に設けられる記録制御手段について、図２と図３を用いて説明する。最初に、静止画撮影時の静止画と音声との関係について、図２を用いて説明する。ＣＰＵ２０は、音声入出力処理部２４の動作を制御して、マイク２６にて生成された音声信号を所定のデジタル音声データに変換させると共に、そのデジタル音声データをメモリコントローラ１５を介して、バッファメモリ１６に一時記憶させる。バッファメモリ１６には、予め設定した一定時間分のデジタル音声データが一時記憶され、一定時間を経過したデジタル音声データは消去される。つまり、電子撮影装置は、撮影操作を可能とする電源を入力する電源スイッチがオンされて、静止画撮影の撮影モードにおいて、ＣＰＵ２０の制御の基で、バッファメモリ１６には、図２に示すように、時間Ｔの経過と共に、デジタル音声データが更新されて一定時間分のデジタル音声データが記録される。
【００３２】
なお、バッファメモリ１６には、デジタル音声データ以外にＣＣＤ信号処理部１４からのデジタル画像信号等も一時記録されるが、それら記憶される信号やデータは、メモリコントローラー１５にて制御管理される。
【００３３】
バッファメモリ１６にデジタル音声データが順次更新されて記憶されている経過時間Ｔｎにおいて、ユーザが操作部２７のシャッターボタンを操作して静止画撮影操作を行うと、ＣＰＵ２０は、ＣＣＤ信号処理部１４、メモリコントローラ１５、画像圧縮・伸張処理部１７、及び記録メディアインターフェース２１の動作を制御して経過時間Ｔｎの時点のデジタル静止画像データを静止画ファイルとしてメモリカード２２またはＨＤＤ２３に記録させると共に、バッファメモリ１６に記憶されているデジタル音声データから静止画撮影された時間Ｔｎの前後の時間Ｔｎ−１からＴｎ＋１の予め設定された指定時間分のデジタル音声データを音声ファイルとしてメモリカード２２またはＨＤＤ２３に記録する。
【００３４】
すなわち、静止画撮影した時点Ｔｎのデジタル静止画像データを静止画ファイルとし、静止画の撮影前Ｔｎ−１から静止画の撮影後のＴｎ＋１までの指定された時間分のデジタル音声データを音声ファイルとしてそれぞれメモリカード２２またはＨＤＤ２３のいずれかの記録メディアに記録する。
【００３５】
メモリカード２２またはＨＤＤ２３のいずれかの記録メディアに記録したデジタル静止画像データと音声データを再生する際には、ＣＰＵ２０は、記録メディアインターフェース２１の動作を制御して、記録メディアの音声ファイルから静止画の撮影前Ｔｎ−１から静止画の撮影後Ｔｎ＋１までのデジタル音声データを読み出して音声入出力処理部２４にて復調処理させてスピーカ２５から静止画の撮影前後の音声を出力させると共に、静止画ファイルからデジタル静止画像データを読み出して画像圧縮・伸張処理部１７にて復号と伸張処理して、画像表示処理部１８から表示装置１９に撮影した静止画像を表示させる。これにより、静止画の撮影時の周囲の雰囲気を示す音声が再生されて、静止画の撮影時の雰囲気と臨場感が再現できる。
【００３６】
次に、動画撮影時の動画像と音声との関係について、図３を用いて説明する。ＣＰＵ２０は、前述した静止画撮影時と同様に、音声入出力処理部２４の動作を制御して、マイク２６にて生成された音声信号を所定のデジタル音声データに変換させると共に、そのデジタル音声データをメモリコントローラ１５を介して、バッファメモリ１６に一時記憶させる。バッファメモリ１６には、予め設定した一定時間分のデジタル音声データが一時記憶され、一定時間を経過したデジタル音声データは消去される。つまり、電子撮影装置は、撮影操作を可能とする電源を入力する電源スイッチがオンされて動画撮影の撮影モードにおいて、ＣＰＵ２０の制御の基で、バッファメモリ１６には、図３に示すように、時間Ｔの経過と共に、デジタル音声データが更新されて一定時間分のデジタル音声データが記録される。
【００３７】
バッファメモリ１６にデジタル音声データが順次更新されて記憶されている時間Ｔｍにおいて、ユーザが操作部２７のシャッターボタンをオン操作して動画撮影操作を行うと、ＣＰＵ２０は、ＣＣＤ信号処理部１４、メモリコントローラ１５、画像圧縮・伸張処理部１７、及び記録メディアインターフェース２１の動作を制御して時間Ｔｍからシャッタボタンがオフ操作される時間Ｔｎまでの間動画撮影されたデジタル動画像信号をバッファメモリ１６に一時記憶させると共に、動画撮影開始時間Ｔｍの前の予め設定されている指定時間Ｔｍ−１からのデジタル音声データをバッファメモリ１６に一時記憶させる。更に動画撮影期間（Ｔｍ〜Ｔｎ）が終了するとＣＰＵ２０は、動画撮影終了時間Ｔｎの後の予め設定されている時間Ｔｎ＋１までのデジタル音声データをバッファメモリ１６に一時記録する。なお、動画撮影時には、被写体の動画像の撮影と共に、動画撮影期間の音声も同時に一時記憶される。
【００３８】
このように、バッファメモリ１６に一時記憶された動画撮影期間Ｔｍ〜Ｔｎの動画撮影のデジタル動画像信号と、動画の撮影前の指定時間分Ｔｍ−１〜Ｔｍのデジタル音声データと、動画の撮影後の指定時間分Ｔｎ〜Ｔｎ＋１のデジタル音声データは、ＣＰＵ２０の制御の基で、記録メディアインターフェース２１を介して記録メディアのメモリカード２２またはＨＤＤ２３に記録する。
【００３９】
これらデジタル動画像データと動画撮影前後のデジタル音声データの記録メディアであるメモリカード２２またはＨＤＤ２３への記録方法としては、次の４の方法が考えられる。第１の方法として、図中ａで示すように、動画撮影前の音声データと動画像データは、それぞれ別のファィルとして記録する。
【００４０】
第２の方法として、図中ｂで示すように、音声データを１つの動画ファィルの中に記録する。動画ファイルに記録する際、記録ファィルの先頭部分に動画撮影前の音声データのみを記録し、その記録した音声データから動画像データへとフェードインされるように動画像データを記録する。この第２の方法にて記録すると、再生時には、再生当初は撮影前の音声のみが再生されて動画像は再生表示されないが、撮影前の音声再生から動画像の再生へとフェードインすることができる。なお、第２の方法は、記録ファイルの後部に動画撮影後の音声データを記録し、動画データから動画撮影後の音声データへとフェードインできるようにしても良い。
【００４１】
第３の方法として、図中ｃで示すように、音声データを１つの動画ファィルの中に記録する。動画ファイルに記録する際、記録ファィルの先頭部分に動画撮影前の音声データのみを記録し、その記録した音声データの後に動画像データを記録する。この第３の方法にて記録すると、再生当初は、撮影前音声のみの再生で再生画像は無画面状態となり、撮影前の音声データの再生終了後に動画が再生開始される。
【００４２】
第４の方法として、図中ｄで示すように、音声データを１つの動画ファィルの中に記録する。動画ファイルに記録する際、記録ファイルの先頭部分に動画撮影前の音声データのみを記録し、動画撮影前の音声データの後に動画像データを記録し、更に、動画データの後に動画撮影後の音声データのみを記録する。この第４の方法にて記録すると、再生時には、再生当初は撮影前の音声のみの再生で再生画像は無画面状態となり、撮影前の音声データの再生終了後に動画が再生開始される。動画の再生が終了すると撮影後の音声データが再生される。
【００４３】
メモリカード２２またはＨＤＤ２３のいずれかの記録メディアに記録したデジタル動画像データとデジタル音声データを再生する際には、ＣＰＵ２０は、記録メディアインターフェース２１の動作を制御して、記録メディアの音声ファイル、または動画ファイルから動画撮影前Ｔｍ−１からの音声データを読み出して音声入出力処理部２４にて復調処理させてスピーカ２５から動画撮影前の音声を出力させる。次に、動画像データを読み出して画像圧縮・伸張処理部１７にて復号と伸張処理して、画像表示処理部１８から表示装置１９に撮影した動画像を表示させる。これにより、動画の撮影時の撮影雰囲気を示す音声が再生されて、動画撮影時点の雰囲気と臨場感が再現できる。
【００４４】
このように、ＣＰＵ２０の制御の基で、撮影前後の音声を一時記憶させて、撮影画像データと組み合わせて記録メディアに記録する記録制御手段の動作について、図４を用いて説明する。
【００４５】
本発明の実施形態の電子撮影装置は、基本的には、動作用の電源スイッチがオンされている状態において、マイク２６からの音声信号は、音声入出力処理部２４にて所定の信号処理が行われて音声データとしてバッファメモリ１６に予め設定されている指定時間分の音声データを一時記憶されるものとする。なお、この指定時間分の音声データのバッファメモリ１６への一時記憶の実行の有無は、ユーザにより操作部２７からの入力により選択できるものとする。
【００４６】
ＣＰＵ２０は、ステップＳ１にて、音声入出力処理部２４を駆動させてマイク２６からの音声信号を所定の音声データに変換させて、メモリコントローラー１５を介してバッファメモリ１６に一時記憶させる。
【００４７】
次に、ＣＰＵ２０は、ステップＳ２にて、バッファメモリ１６に事前設定されている音声データの記憶容量値に対して、ステップＳ１においてバッファメモリ１６に一時記憶した音声データの量が設定記憶容量を満たしているか判定する。つまり、バッファメモリ１６に事前に設定した指定時間分の音声データが記憶されたか判定する。
【００４８】
ステップＳ２の判定の結果、バッファメモリ１６に事前設定されている記憶容量を満たす音声データが記憶されたと判定されると、ＣＰＵ２０は、ステップＳ３にて、設定記憶容量を超える先頭部分の音声データ、つまり、指定時間を経過した音声データを消去してステップＳ４に移動する。
【００４９】
ステップＳ２の判定の結果、バッファメモリ１６に一時記憶された音声データは事前設定されている記録容量を満たして無く、記録容量に空きがあると判定されたり、あるいはステップＳ３にて、指定時間を超える先頭の音声データが消去されると、ＣＰＵ２０は、ステップＳ４において、操作部２７からユーザが撮影操作の入力、例えば、シャッタボタンが操作されたかチェック判定する。
【００５０】
ステップＳ４の判定の結果、撮影操作のシャッタボタンが操作されてないと判定されると、記録制御手段の処理ループからステップＳ１へと戻る。
【００５１】
ステップＳ４の判定の結果、撮影操作のシャッタボタンが操作された入力があると判定されると、ＣＰＵ２０は、ステップＳ５にて、操作部２７からユーザが入力している撮影動作は、静止画撮影または動画撮影のいずれであるか判定する。
【００５２】
ステップＳ５の判定の結果、静止画撮影の撮影動作であると判定すると、ＣＰＵ２０は、ステップＳ６において、ＣＣＤ信号処理部１４、メモリコントローラ１５、画像圧縮・伸張処理部１７等の動作を制御して静止画撮影処理を行い、静止画像データを生成させる。
【００５３】
次に、ＣＰＵ２０は、ステップＳ７にて、操作部２７からユーザが静止画撮影後の音声データを記録メディアに記録する設定入力が行われているか判定する。ステップＳ７の判定の結果、静止画撮影後の音声データを記録メディアに記録する設定入力が行われていると判定されると、ＣＰＵ２０は、ステップＳ８にて、静止画撮影後の音声入出力処理部２４からの音声データを静止画撮影前の音声データに継続して、バッファメモリ１６に一時記憶させる。
【００５４】
ステップＳ７の判定の結果、静止画撮影後の音声データを記録メディアに記録する設定入力が行われてない、またはステップＳ８の静止画撮影後の音声データが継続一時記憶されると、ＣＰＵ２０は、ステップＳ９にて、図２にて説明したように、記録メディアのメモリカード２２またはＨＤＤ２３のいずれかに静止画撮影した静止画データの静止画ファイルと、バッファメモリ１６に一時記憶されている音声データの音声ファィルを作成して記録する。なお、ステップＳ７において、静止画撮影後の音声データの記録メディアへの記憶設定が行われてない場合は、静止画撮影時間Ｔｎの前の指定時間分Ｔｎ−１からの音声データが音声ファィルとして記録される。
【００５５】
ステップＳ５の判定の結果、動画撮影の撮影動作であると判定すると、ＣＰＵ２０は、ステップＳ１０において、ＣＣＤ信号処理部１４、メモリコントローラ１５、画像圧縮・伸張処理部１７等の動作を制御して動画撮影処理を行い、動画像データを生成させる。
【００５６】
次に、ＣＰＵ２０は、ステップＳ１１にて、操作部２７からユーザが動画撮影後の音声データを記録メディアに記録する設定入力が行われているか判定する。ステップＳ１１の判定の結果、動画撮影後の音声データを記録メディアに記録する設定入力が行われていると判定されると、ＣＰＵ２０は、ステップＳ１２にて、動画撮影後の音声入出力処理部２４からの音声データを動画撮影直前の音声データに継続して、バッファメモリ１６に一時記憶させる。
【００５７】
ステップＳ１１の判定の結果、動画撮影後の音声データを記録メディアに記録する設定入力が行われてない、またはステップＳ１２の動画撮影後の音声データが継続して一時記憶されると、ＣＰＵ２０は、ステップＳ１３にて、図３にて説明したように、記録メディアのメモリカード２２またはＨＤＤ２３のいずれかに動画撮影した動画データと、バッファメモリ１６に一時記憶されている音声データとからなるファイルを作成して記録する。なお、ステップＳ１３において、動画撮影前または動画撮影後の音声データの記録メディアへの記憶は、図３を用いて説明した第１〜第４の方法であるが、これらのいずれの記録方法を用いるかは、ユーザが操作部２７から選択入力し、その入力に応じてＣＰＵ２０がファィル作成を行う。
【００５８】
ステップＳ９またはステップＳ１３の処理が終了すると処理ループへと戻り、次の撮影操作に備える。
【００５９】
以上説明したように、本発明の電子撮影装置は、撮影前後の周囲音を記録することで、撮影画像の再生時に撮影映像と共に音声の再生が可能となり、撮影時の雰囲気と臨場感が再現でき、ユーザは撮影映像に対する親和性が向上する。また、撮影画像データや音声データは、電子撮影装置に着脱されるメモにカード２２または電子撮影装置に内蔵されているＨＤＤ２３に必要に応じて記録させることができるために音声データの記録操作の操作性も向上する。
【００６０】
なお、前述した本発明の実施形態において、音声入出力処理部２４は、ＣＰＵ２０の制御の基で、マイク２６からの音声信号を所定のデジタル音声データに変換して記録メディアインターフェース２１からメモリカード２２またはＨＤＤ２３に記録させると共に、記録メディアインターフェース２１にてメモリカード２２またはＨＤＤ２３から読み出されたデジタル音声データを所定の復調処理してスピーカー２５から音声を出力すると説明した。しかし、音声入出力処理部２１は、マイク２６からのアナログ音声信号をデジタル音声信号に変換し、デジタル音声信号をアナログ音声信号に変換してスピーカー２５に供給する機能とし、デジタル音声信号からデジタル音声データへの変換及び復調は、画像圧縮・伸張処理部１７に設けても良い。この場合、バッファメモリ１６に一時記憶される撮影前後の音声信号は、音声入出力処理部２１にて生成されたデジタル音声信号となる。
【図面の簡単な説明】
【００６１】
【図１】本発明の実施形態の電子撮影装置の構成を示すブロック図。
【図２】本発明の実施形態の電子撮影装置における静止画撮影時の静止画像記録と、静止画の撮影前後の音声記録の動作を説明する説明図。
【図３】本発明の実施形態の電子撮影装置における動画撮影時の動画記録と、動画の撮影前後の音声記録の動作を説明する説明図。
【図４】本発明の実施形態の電子撮影装置における撮影時の画像と、撮影直後または撮影直後の音声の記録操作を説明するフローチャート。
【符号の説明】
【００６２】
１１  光学レンズ、１２  固体撮像素子（ＣＣＤ）、１３  アナログ／デジタル変換部（Ａ／Ｄ変換部）、１４  ＣＣＤ信号処理部、１５  メモリコントローラー、１６  バッファメモリ、１７  画像圧縮・伸張処理部、１８  画像表示処理部、１９  表示装置、２０  マイクロコンピュータ（ＣＰＵ）、２１  記録メディアインターフェース、２２  メモリカード、２３  ハードディスク（ＨＤＤ）、２４  音声入出力処理部、２５  スピーカ、２６  マイクロホン（マイク）、２７  操作部。
【図１】
2006310978.tif 000003
【図２】
2006310978.tif 000004
【図３】
2006310978.tif 000005
【図４】
2006310978.tif 000006